(57)【要約】      （修正有）【課題】チップを包含し、非接触通信のためにチップが接続されるアンテナを有し、ブースターアンテナを接続する、ＲＦＩＤトランスポンダを提供する。【解決手段】ＲＦＩＤトランスポンダは、プラスチックパッケージ１を有する。プラスチックパッケージ１は、その外表面上にコイル芯２を形成し、そこで少なくとも１つのコイル巻線４を有するブースターアンテナ３が配列される。コイル巻線４は、誘導結合を形成するために、統合されたアンテナを完全に囲み、コイル巻線４の２つの端５、６は、ＵＨＦレンジのための双極子アンテナのアンテナワイヤを形成する、。【選択図】図１
2019041374.tif 000002
【特許請求の範囲】
【請求項１】
チップを包含し、非接触通信のためにチップが接続されるアンテナを有し、および、これらのトランスポンダ構成要素を統合された構成要素として収容するプラスチックパッケージ（１）を有するＲＦＩＤトランスポンダであって、プラスチックパッケージ（１）は、その外表面上にコイル芯（２）を形成し、そこで少なくとも１つのコイル巻線（４）を有するブースターアンテナ（３）が配列されることを特徴とし、ここで、コイル巻線（４）は、誘導結合を形成するために、統合されたアンテナを完全に囲み、および、コイル巻線（４）の２つの端（５、６）は、ＵＨＦレンジのための双極子アンテナのアンテナワイヤを形成する、前記ＲＦＩＤトランスポンダ。
【請求項２】
プラスチックパッケージ（１）および少なくとも１つのコイル巻線（４）が、主ハウジング（７）中へ統合されることを特徴とする、請求項１に記載のＲＦＩＤトランスポンダ。
【請求項３】
主ハウジング（７）が筒形であることを特徴とする、請求項２に記載のＲＦＩＤトランスポンダ。
【請求項４】
チップに接続され、および、プラスチックパッケージ（１）中へ統合されるアンテナ、ならびに、ブースターアンテナ（３）の少なくとも１つのコイル巻線（４）が、互いに関して配列される導体ループを形成することを特徴とする、請求項１〜３のいずれか一項に記載のＲＦＩＤトランスポンダ。
【請求項５】
コイル芯（２）が、チップに接続され、および巻きコイルとして形成されるアンテナに関して同心円状に配列されることを特徴とする、請求項１〜４のいずれか一項に記載のＲＦＩＤトランスポンダ。
【請求項６】
チップが巻きコイルの中心において配列されることを特徴とする、請求項５に記載のＲＦＩＤトランスポンダ。
【請求項７】
コイル芯（２）が丸いまたは角のある断面を有することを特徴とする、請求項１〜６のいずれか一項に記載のＲＦＩＤトランスポンダ。
【発明の詳細な説明】
【技術分野】
【０００１】
本願発明は、請求項１のプリアンブルに記載のトランスポンダ構成要素を収容するプラスチックパッケージにおいて、非接触でアクティベートされるＲＦＩＤトランスポンダに関する。
【０００２】
トランスポンダが高い機械的ストレスにさらされる場合、プラスチックパッケージ（ＰＰ）は、しばしば、トランスポンダ構成要素を保護するために使用される。かかるタイプのトランスポンダは、他の物体、構成要素、ラベル、販売パッケージ、織物などの中へ統合されてもよく、より大きなチップおよびより長いコイルの収容を可能にする。それによって、機能範囲が増加する。
【０００３】
WO 2009/080607 A2に記載されているとおり、ＨＦ周波数（１３．５６ＭＨｚ）およびＵＨＦ周波数（８６０〜９６０ＭＨｚ）の２つの周波数が、ＲＦＩＤ技術において使用される。結合機構は、２つの周波数レンジで異なる。ＨＦシステムは、誘導結合システムと共に機能し、結合のためのコイルアンテナを要する。他方で、ＵＨＦシステムは、電磁波を使用して機能し、一般的に双極子アンテナを要する。ＵＨＦトランスポンダは、近い距離で使用されてもよく、ここで結合は、遠い距離におけるのと同様に電界および／または磁界および／または電磁場を介して達成され、ここで結合は、電磁波を介して生じる。加えて、ＲＦＩＤトランスポンダの伝送および読み取り性能を増幅させるために使用される、より大きなブースターアンテナ中へ、ＲＦＩＤトランスポンダを結合することが知られている。この目的のために、アンテナおよびアンテナ接点上に据え付けられたチップで構成される、紙またはポリマー基板上の小さなミニタグが使用される。ミニタグおよびブースターアンテナは、電気導電体を介して接触しておらず、むしろ電界、磁界、または電磁場を介してのみ結合される。かかるブースターアンテナは、印刷された内容物と同時に、印刷されたパッケージ上へ印刷されてもよい。ここで位置決め精度は、直接接触の場合におけるよりも著しく低い。印刷プロセスが、この位置決め精度で十分であることを確実にする。
【０００４】
非接触通信の性能を改善するために、DE 10 2006 051 379 A１もまた、ＲＦＩＤチップモジュールへのブースターアンテナの誘導結合を開示する。この目的のために、これらの構成要素は、織布基板に適用され、および固定される。
【０００５】
したがって、ＲＦＩＤチップモジュールアンテナとブースターアンテナとの間の電気接続無しにされることは、有利である；しかしながら、誘導結合領域がブースターアンテナとＲＦＩＤチップモジュールアンテナとの間に形成されることは、確実にしなければならない。この目的のために、十分な位置決め精度が維持されなければならず、チップモジュールに関して正確にブースターアンテナを固定することを要する。
【０００６】
本願発明の目的は、高い機械的ストレスに曝露され得る、ブースターアンテナの接続のために性能が改善されたＲＦＩＤトランスポンダを提供することである。
【０００７】
この目的は、請求項１の特質を介して達成される。
【０００８】
これによってＲＦＩＤトランスポンダが提供され、ここでトランスポンダ構成要素は、その保護のためにプラスチックパッケージ中へ統合される。さらにプラスチックパッケージは、少なくとも１つのコイル巻線ブースターアンテナが配列されるコイル芯を形成する。コイル巻線は、ブースターアンテナとチップアンテナとの間の結合領域を提供し、したがって、チップアンテナへのブースターアンテナの最適な結合のための、機械的に固定された位置決め精度を確実にする。したがって、プラスチックパッケージは、誘導ブースターアンテナとチップアンテナとの間の結合領域の空間配列のための、固定および配列補助としての追加的な機能性を想定する。
【０００９】
それによって、ＵＨＦレンジのためのＲＦＩＤトランスポンダの自動製作は、特に製作がＲＦＩＤトランスポンダの間隔が空いた包装とともにアンテナワイヤの撚り線上で実行されてもよい場合、著しく単純化される。長さに切ることによって、取り付け済のブースターアンテナを有するＲＦＩＤトランスポンダの個別のモジュールが生成されてもよい。
【００１０】
本願発明の追加的な態様および利点は、以下の記載および従属請求項において見られてもよい。 
【図面の簡単な説明】
【００１１】
本願発明は、添付されたイメージに描かれる例示の態様に基づいて、より詳細に記載されるだろう。
【００１２】
【図１】図１は、好適に提供される主ハウジングの取り付け前の、ブースターアンテナを有するＲＦＩＤトランスポンダの斜視図を模式的に描く。
【図２】図２は、固定された主ハウジングを有する、図１によるＲＦＩＤトランスポンダの斜視図を模式的に描く。
【図３】図３は、ブースターアンテナのコイル巻線を備えるワイヤガイドを模式的に描く。
【００１３】
図１は、ＲＦＩＤトランスポンダを示し、ここでトランスポンダ構成要素は、プラスチックパッケージ１中へ統合される。ここで、ＲＦＩＤトランスポンダは、既知の仕方において、チップ（描かれていない）および非接触通信のためにチップに接続されるアンテナ（描かれていない）を含む。プラスチックパッケージ１は、これらのトランスポンダ構成要素を、統合された構成要素として収容する。プラスチックパッケージ１（ＰＰ）は、所謂ＰＰトランスポンダを形成し、増加した機能範囲のためのより大きなマイクロチップおよびより長いコイルを収容することができる。プラスチックパッケージ１のための材料は、適用に基づいて選択されてもよい。プラスチック材料はまた、硬化性樹脂で構成される複合材料を包含すべきである。
【００１４】
プラスチックパッケージ１は、さらにその外表面上にコイル芯２を形成する。少なくとも１つのコイル巻線４を有するブースターアンテナ３は、コイル芯２上に配列され、ここでコイル巻線４は、誘導結合を形成するために、チップの統合されたアンテナを完全に囲む。コイル巻線４の２つの端５、６は、ＵＨＦレンジのための双極子アンテナのアンテナワイヤを形成する。
【００１５】
プラスチックパッケージ１および少なくとも１つのコイル巻線４は、好適には、例えば組み立てられ得る二等分で構成された主ハウジング７中へ統合される。主ハウジング７は、例えば、筒形である。
【００１６】
チップに接続され、プラスチックパッケージ１中へ統合されるアンテナ（描かれない）、および、ブースターアンテナ３の少なくとも１つのコイル巻線４は、好適には、互いに関して配列される導体ループを形成する。好適には、コイル芯２は、チップに接続され、好適には巻きコイルとして構成されるアンテナに関して同心円状に配列される。そしてまたチップは、好適には、この巻きコイルの中心において配列される。
【００１７】
コイル芯２は、丸いまたは角のある断面を有してもよい。コイル芯２を形成するために、プラスチックパッケージ１の外表面の周りに形成される、または据え付けられる溝、凹み、または他の路が提供されてもよい。しかしながら、プラスチックパッケージ１の周面さえも、少なくとも１つのコイル巻線４のための位置決め表面として十分である。
【００１８】
好適に提供される主ハウジング７によって、プラスチックパッケージ１および少なくとも１つのコイル巻線４は、例えば接着、溶接などを使用して、互いに関して固定されてもよい。
【００１９】
トランスポンダ構成要素は、既知の仕方において、非接触通信のためにチップアンテナの端に接続されるマイクロチップを含む。一緒に、これらのトランスポンダ構成要素は、ＰＰ  ＲＦＩＤトランスポンダを構成するために、プラスチックパッケージ１中へ統合される。したがって、チップアンテナは、プラスチックパッケージ１の空間構造に関して特定の配向を有し、それに対向してコイル巻線４は、位置決め表面としてのプラスチックパッケージ１の使用のために特定の位置を想定する。好適には、チップアンテナは、チップアンテナとブースターアンテナ３との間の最適な結合を形成するために、ブースターアンテナ３の配列に用いられ得る巻線平面を有するフラットコイルである。
【００２０】
ブースターアンテナ３の形成に使用されるアンテナワイヤは、いくつかのデバイスを鎖状に有するために、自動生成において延伸され得る。
【図１】
2019041374.tif 000003
【図２】
2019041374.tif 000004
【図３】
2019041374.tif 000005
【外国語明細書】
2019041374000001.pdf